(57)【特許請求の範囲】
【請求項１】
原稿が載置される原稿台と、該原稿台に載置された原稿を読み取る読取センサと、前記原稿台に対して開閉可能な開閉ユニットと、該開閉ユニットに配され原稿が載置される原稿載置トレイと、該原稿載置トレイに載置された原稿を前記読取センサへ搬送するローラを有し開閉可能な搬送ユニットと、該搬送ユニットに配され操作者が操作する操作パネルと、を備える画像読取装置において、
前記ローラと前記操作パネルは、原稿の幅方向においてずれた位置に配置され、原稿が搬送される方向及び高さ方向において一部が重複するように配置されることを特徴とする画像読取装置。
【請求項２】
前記ローラの駆動源は前記搬送ユニットに配され、
前記操作パネルおよび前記ローラは、それぞれ、前記搬送ユニットによる原稿の搬送エリアの幅の範囲内に、少なくとも一部が位置付けられていることを特徴とする、請求項１に記載の画像読取装置。
【請求項３】
前記ローラは前記幅方向において装置の背面側に配置されており、前記操作パネルは装置の前面側に配置されていることを特徴とする、請求項１または２に記載の画像読取装置。
【請求項４】
前記搬送ユニットにおいて搬送される原稿は、前記操作パネルの下方にてＵターンしながら搬送されることを特徴とする、請求項１から３のいずれか１項に記載の画像読取装置。
【請求項５】
前記原稿載置トレイに載置された原稿は、前記搬送エリアを搬送されて前記読取センサにより読み取られた後、前記開閉ユニットの上方に設けられた排出トレイに排出されることを特徴とする、請求項２に記載の画像読取装置。
【請求項６】
前記搬送ユニットは前記原稿台に対して開閉可能となっており、前記搬送ユニットが開く方向と前記開閉ユニットが開く方向は異なることを特徴とする、請求項１から５のいずれか１項に記載の画像読取装置。
【請求項７】
前記開閉ユニットは装置の前面側が開き、前記搬送ユニットは前記開閉ユニットに近い側が開くことを特徴とする、請求項１から６のいずれか１項に記載の画像読取装置。
【請求項８】
前記原稿台に載置される原稿の位置決め基準は、前記搬送ユニットの側に設けられ、
前記読取センサは、前記位置決め基準の側から原稿の読取動作を開始することを特徴とする、請求項１から７のいずれか１項に記載の画像読取装置。
【請求項９】
前記開閉ユニットは、前記原稿台に載置された原稿を押える原稿押え部を有することを特徴とする請求項１から８のいずれか１項に記載の画像読取装置。
【発明の詳細な説明】
【技術分野】
【０００１】
本発明は、原稿を読み取る画像読取装置に関する。
【背景技術】
【０００２】
複写機、ファクシミリ、マルチファンクションプリンタ、ドキュメントスキャナ等に使用される画像読取装置には、自動原稿搬送（オートドキュメントフィード、以下ＡＤＦともいう）装置が搭載されているものがある。ＡＤＦ装置は、積載されたシート状の原稿を１枚ずつ搬送するシート搬送機構を備える。シート搬送機構によって搬送された原稿の画像情報は、画像読取装置の読取部にて読み取られる。
【０００３】
また、画像読取装置には、電源のオンオフや画像の読み取りを行うためのユーザーインターフェースとなる操作パネルが、その外装に設けられているものが多くある。
【０００４】
特許文献１は、操作パネルが外装の上面に配置された構成を開示している。
【先行技術文献】
【特許文献】
【０００５】
【特許文献１】特開平５−６３９３２号公報
【発明の概要】
【発明が解決しようとする課題】
【０００６】
しかしながら、特許文献１の構成では、操作パネルは、読取部の上方に設けられたシート搬送機構のさらに上方のエリアに配置されている。そのため、装置は、操作パネルを設けることによって、そのサイズの分だけ高さ方向に大型化してしまう。これに対して、読取部の上方を避けたエリアに操作パネルを配置したとすると、水平面視での装置全体のサイズが増大してしまう可能性がある。
【０００７】
本発明は上記課題に鑑みてなされたものである。本発明の目的は、従来以上に小型化された画像読取装置を提供することである。
【課題を解決するための手段】
【０００８】
本発明の画像読取装置は、原稿が載置される原稿台と、該原稿台に載置された原稿を読み取る読取センサと、前記原稿台に対して開閉可能な開閉ユニットと、該開閉ユニットに配され原稿が載置される原稿載置トレイと、該原稿載置トレイに載置された原稿を前記読取センサへ搬送するローラを有し開閉可能な搬送ユニットと、該搬送ユニットに配され操作者が操作する操作パネルと、を備える画像読取装置において、前記ローラと前記操作パネルは、原稿の幅方向においてずれた位置に配置され、原稿が搬送される方向及び高さ方向において一部が重複するように配置されることを特徴とする。
【発明の効果】
【０００９】
本発明によれば、従来以上に小型化された画像読取装置が提供される。
【図面の簡単な説明】
【００１０】
【図１】読取装置の内部構成を示す断面図である。
【図２】プリント部を内蔵する読取装置の外観を示す斜視図である。
【図３】読取装置の外装カバーを取り外した状態の斜視図である。
【図４】読取装置のシート搬送機構の駆動系を示す斜視図である。
【図５】読取装置の搬送ユニットおよび開閉ユニットを開放した斜視図である。
【図６】プリント部を内蔵する読取装置の制御構成を示すブロック図である。
【図７】読取装置の操作パネル、シート搬送機構、およびフレームを示す斜視図である。
【図８】読取装置の操作パネル、シート搬送機構、およびフレームを示す断面図である。
【図９】操作パネルの構成を説明する図である。
【図１０】操作パネルの釦の説明をする図である。
【図１１】読取装置のケーブル配置を説明する図である。
【図１２】大判原稿を読み取る場合について説明するための斜視図である。
【図１３】図１２の上面図である。
【発明を実施するための形態】
【００１１】
本発明の実施形態として、シート搬送装置を有する画像読取装置について説明する。画像読取装置は、単体のスキャナ装置はもちろん、これが組み込まれた複写機、プリンタ、ファクシミリなどの複合装置にも適用可能であり、本明細書ではこられを総称して画像読取装置と呼ぶ。
【００１２】
（画像読取装置の構成）
図１は、本発明の実施形態に係る画像読取装置の内部構造を示す鉛直断面である。図１（ａ）および図１（ｂ）は、互いに異なる位置で取った断面図である。図２は、本発明の実施形態に係る、プリント部を内蔵する画像読取装置の外観斜視図である。図３は、本実施形態に係る画像読取装置の外装カバーを取り外した状態を示す図である。
【００１３】
図１および図２に示されるように、本実施形態の画像読取装置（以下、読取装置ともいう）は、原稿読取搬送部１と、原稿積載圧板部４０と、ブック原稿読取部２と、操作パネル部８００と、を備える。
【００１４】
（搬送ユニット）
原稿読取搬送部（以下、搬送ユニットともいう）１は、シート状の原稿Ｓを搬送して画像情報を読み取るユニットである。搬送ユニット１は、Ｕ字形状に延びる原稿搬送路（以下、Ｕターンパスともいう）１２を内部に有する。搬送ユニット１は、Ｕターンパス１２の幅の範囲内のサイズの原稿Ｓを搬送することができる。
【００１５】
図１および図３に示されるように、Ｕターンパス１２には、原稿ストッパ１５、原稿有無センサ１６、および原稿エッジセンサ１７等が取り付けられている。原稿ストッパ１５は、搬送される前の原稿Ｓの先端の位置を所定の位置に規制する。原稿有無センサ１６は、搬送される原稿Ｓの有無を検出する。原稿エッジセンサ１７は、搬送された原稿Ｓの先端部および後端部を検出する。
【００１６】
（開閉ユニット）
図１および図２に示されるように、原稿積載圧板部（以下、開閉ユニットともいう）４０は、搬送ユニット１に搬送するための原稿Ｓを載置するユニットであり、また、ブック原稿読取部２の上面に載置した原稿Ｂを上側から押圧するユニットでもある。開閉ユニット４０は、搬送ユニット１に隣接して配置されていると共に、ブック原稿読取部２の上側に配置されている。
【００１７】
開閉ユニット４０は、原稿載置トレイ（以下、供給トレイともいう）１４と、原稿排出トレイ（以下、排出トレイともいう）１８と、を上面に有する。
【００１８】
供給トレイ１４は、不図示のヒンジを介して原稿設置部材２１に取り付けられており、ヒンジ軸を中心に回動自由であり、回動により、図２に示す閉状態と図１に示す開状態との間を移行することができる。供給トレイ１４を開状態としたときに上面に現れる供給トレイ１４の面および原稿設置部材２１の上面が、原稿Ｓを積載する原稿載置部２０を形成する。供給トレイ１４は、不使用時には閉状態とすることで、搬送ユニット１と同一水平面を形成し、搬送ユニット１から逸脱することはない。すなわち、搬送ユニット１と開閉ユニット４０を共に閉じたとき、両者の境界付近では搬送ユニット１の上面（操作パネル部８００の操作面）と開閉ユニット４０の上面（閉じた状態の供給トレイ１４）はほぼ同じ高さを持ち、段差が生じない。
【００１９】
原稿載置部２０は、搬送ユニット１および開閉ユニット４０が共に閉状態であるときに、搬送ユニット１のＵターンパス１２の上流端側に接続するように設けられている。また、排出トレイ１８は、搬送ユニット１および開閉ユニット４０が共に閉状態であるときに、搬送ユニット１のＵターンパス１２の下流端側に接続するように設けられている。
【００２０】
図５に示されるように、開閉ユニット４０は、後部にヒンジ４２ａおよび４２ｂが配設されている。開閉ユニット４０はヒンジ４２ａおよび４２を回動中心として回動するにより、図５に示される開状態と図２に示される閉状態との間を移行することができる。
【００２１】
（ブック原稿読取部２）
開閉ユニット４０の下側に配置されているブック原稿読取部２は、上面に原稿台のガラス板２２を有し、原稿台のガラス板２２上に静止して置かれた原稿Ｂの画像情報をガラス板２２を介して読み取るユニットである。原稿Ｂは、冊子等の厚みのある形態であってもよく、シートの形態であってもよい。
【００２２】
（シート搬送機構）
図１に戻って、本実施形態に係る搬送ユニット１のシート搬送機構を説明する。図１に示されるように、Ｕターンパス１２の上流端側には、ピックアップローラ３が設けられている。ピックアップローラ３は、原稿載置部２０に積載された原稿Ｓの最上位のものに当接してこれをピックアップする。ピックアップローラ３の下流側には、互いに圧接した分離ローラ５および分離パッド４が設けられている。分離ローラ５および分離パッド４は、ピックアップローラ３によりピックアップされた原稿Ｓを１枚に分離する。
【００２３】
図１および図３に示されるように、Ｕターンパス１２の中ほどには、第１の搬送ローラ７が設けられており、下流端側には、原稿Ｓを排出トレイ１８に排出するための第２の搬送ローラ９が設けられている。第１の搬送ローラ７の回転によって搬送ユニット１のＵターンパス内を搬送された原稿Ｓは、第２の搬送ローラ９の回転によって、排出ガイド１９に沿って、排出トレイ１８に排出される。
【００２４】
（読み取りのための構成）
搬送ユニット１およびブック原稿読取部２における画像情報の読み取りは、密着型イメージセンサ（以下、ＣＩＳともいう）３０により行われる。
【００２５】
図１および図３に示されるように、ＣＩＳ３０は、搬送ユニット１および開閉ユニット４０の下方にそれぞれガラス２３およびガラス板２２を介して配置される。なお、本例では、ガラス２３およびガラス板２２は別体として記載されているが、ガラス２３およびガラス板２２は一体であってもよい。また、材料も、ガラスに限定されず、それを介してセンサが原稿の画像情報を読み取ることが可能なプラスチック等の材料であってもよい。
【００２６】
ＣＩＳ３０は、搭載したＬＥＤから原稿Ｓの画像情報を読み取る面（以下、画像情報面ともいう）に対して光を照射し、画像情報面で反射した反射光を自己集束型ロッドレンズアレイでセンサ素子に結像して、画像情報を読み取る。ＣＩＳ３０は、図１中、左右方向（Ｘ方向に沿った方向）に移動可能に構成されている。
【００２７】
ＡＤＦスキャナ部において、搬送ユニット１で読み取り（ＡＤＦスキャン）を行う場合、ＣＩＳ３０は、図１に示されるようにシート原稿読取位置（読取位置）で止まっていて、読取位置に搬送されてくる原稿Ｓの表面を、ガラス２３を介して読み取る。読取位置とガラス２３を挟んで対向する位置には、読取白地板８が設けられている。読取白地板８は、原稿を読み取る際の裏当てやＣＩＳ３０のキャリブレーション等に使用され得る。
【００２８】
フラットベッドスキャナ部において、ブック原稿読取部２で読み取り（ＦＢＳスキャン）を行う場合は、ＣＩＳ３０は、図１中、左側から右側（−Ｘ方向）に走査しつつ、ガラス板２２上に載置された原稿Ｂの表面を、ガラス板２２を介して読み取る。
【００２９】
（読取装置の駆動系）
図４を用いて、本実施形態に係る読取装置の駆動系の説明をする。駆動モータＭはブラシ式ＤＣモータであり、コードホイールフィルムＭ１、エンコーダセンサＭ２、およびロータリーエンコーダＭ３がその近傍に配設されている。
【００３０】
詳細には、コードホイールフィルムＭ１は、駆動モータＭのモータ軸上に配設されており、モータ軸の回転に従って回転する。エンコーダセンサＭ２は、コードホイールフィルムＭ１にプリントされたスリットパターンを検出して読み取る。ロータリーエンコーダＭ３は、エンコーダセンサＭ２による読み取りに基づき、回転量を検出する。エンコーダＭ３からのパルス信号に基づいて、パルス幅変調（ＰＷＭ）制御により、駆動モータＭの回転制御が行なわれる。
【００３１】
駆動モータＭの駆動力は、ギア列Ｍ４により、分離ローラ５、ピックアップローラ３、第１の搬送ローラ７、および第２の搬送ローラ９に伝わる。本実施形態においては、ギア列Ｍ４は読取装置の前面側には設けず、背面側に偏らせて配置している。搬送ユニット１で読み取りを行う場合、自動原稿搬送（ＡＤＦ）に使用される全ての搬送ローラは、ギア列Ｍ４により回転させられる構成となっている。
【００３２】
（ＡＤＦスキャン）
図１から図４を用いて、搬送ユニット１により読み取り動作を行う際（ＡＤＦスキャン時）の一連の流れについて説明する。
【００３３】
操作者が操作パネル部８００から読取開始を指示すると、駆動モータＭが回転する。これに連動して分離ローラ５およびピックアップローラ３が回転し、それとともに原稿リフタ６が上がり、ピックアップローラ３が原稿Ｓに押圧される。ピックアップローラ３の回転によって原稿ストッパ１５が解除され、原稿ＳがＵターンパス１２の内部へと送り込まれる。原稿載置部２０に積載されていた原稿Ｓは、搬送ユニット１の分離ローラ５および分離パッド４によって１枚ずつに分離され、最上位の原稿Ｓが搬送される。
【００３４】
ここで、分離ローラ５は第１の搬送ローラ７および第２の搬送ローラ９より遅い周速で回転するようになっており、駆動モータＭを連続回転させると１枚目の原稿Ｓと２枚目の原稿Ｓとの間に所定量の間隔が開くようになっている。
【００３５】
分離された最上位の原稿Ｓは、Ｕターンパス１２に沿って搬送され、第１の搬送ローラ７によってＣＩＳ３０による読取位置へさらに搬送される。
【００３６】
搬送ユニット１では、原稿エッジセンサ（以下、ＤＥＳともいう）１７による原稿Ｓの端部の検知をトリガーとして、画像情報の読取開始および読取終了を行う。詳細には、ＤＥＳ１７により原稿Ｓの先端部が検知されると、その位置から所定量だけ搬送されたタイミングで、ＣＩＳ３０による読取位置での原稿Ｓの表面の画像情報の読み取りが開始される。そして、ＤＥＳ１７により原稿Ｓの後端部が検知されると、その位置から所定量搬送されたタイミングで、ＣＩＳ３０による画像情報の読取りを終了する。画像情報の読み取り開始から終了までの間は、原稿Ｓを搬送しながら読み取り動作を継続する。
【００３７】
後続の原稿Ｓがある場合は、駆動モータＭを継続的に回転させて、次の原稿Ｓを読み取る。次の原稿の有無は、原稿有無センサ１６によって検知される。原稿有無センサ１６が次の原稿が無いことを検知するまで、同様に、原稿搬送を続けて次の原稿Ｓの画像情報を読み取る。
【００３８】
ＣＩＳ３０によって読み取られた後、原稿Ｓは、開閉ユニット４０に設けられた排出ガイド１９に案内されながら、第２の搬送ローラ９の回転により、排出トレイ１８に排出される。
【００３９】
（読取装置の制御構成）
図６は、読取装置の制御構成を示すブロック図である。
【００４０】
制御構成３００は、主制御基板７２０、読取部３１０、操作パネル部８００、プリント部３１５、および電源供給部３４０を含む。
【００４１】
主制御基板７２０は、主制御ＩＣ３０２、ＥＥＰＲＯＭ３０４、ＲＡＭ３０５、外部インターフェイス３３１、不揮発性記憶装置３３３、無線ＬＡＮモジュール３３４、音声出力部３２５、通信接続部３２７、およびこれらを繋ぐシステムバス３０３を含む。
【００４２】
主制御ＩＣ３０２は、マイクロプロセッサユニット（以下、ＭＰＵともいう）３０６、読取画像処理部３０７、プリント画像処理部３０８、画像符号化部３０９を含み、システムバス３０３を介して装置全体を制御する。ＥＥＰＲＯＭ３０４は、ＭＰＵ３０６の動作のためのプログラムコード、初期値データ、およびテーブルデータなどを格納している。ＲＡＭ３０５は、計算バッファおよび画像メモリ等に使用される。
【００４３】
読取部３１０は、ＣＩＳ３１１、読取画像補正部３１２、読取系駆動部３１３等により構成される。読取部３１０は、読取系駆動部３１３を駆動してＣＩＳ３１１を移動させ、原稿をＣＩＳ３１１によって光学的に順次読み取って、電気的な画像信号に変換する。この信号に対し読取画像補正部３１２でシェーディング補正等を行う。補正された信号は、主制御基板７２０に送信され、読取画像処理部３０７で画像処理が行われて、高精細な画像データが出力される。
【００４４】
プリント部３１５は、本例ではインクジェット方式である。プリント部３１５は、プリント系駆動部３１８を駆動してプリントヘッド３１６を所定の位置に移動させ、プリント画像処理部３０８で作成した画像データをプリント信号出力部３１７を介してプリントヘッド３１６に出力することで、画像をプリントする。
【００４５】
操作パネル部８００は、操作パネルインターフェイス部３２３を介して表示画像を表示部３２１に出力し、操作パネル３２２からの操作入力を受け付ける。
【００４６】
音声出力部３２５は、音声データを信号に変換してスピーカ３２６からメッセージ音声を出力する。通信接続部３２７は、通信網３２８および電話機３２９と接続され、これを介して音声や符号化データの入出力が行われる。
【００４７】
符号化データは画像符号化部３０９で画像に相互変換される。例えばＵＳＢ規格などの外部インターフェイス部３３１は、パーソナルコンピュータなどの外部機器３３２と接続される。
【００４８】
不揮発性記憶装置３３３はフラッシュメモリなどの不揮発メモリからなり、停電時等にワークデータや画像データが消去されないように記憶する。無線ＬＡＮモジュール３３４は、装置外のアクセスポイントを介して画像入出力を行う。
【００４９】
電源供給部３４０は、主制御基板７２０、読取部３１０、プリント部３１５、操作パネル部８００などの動作に必要な電力を供給する。
【００５０】
（読取装置の動作）
本実施形態のプリント部を内蔵する読取装置で行い得る動作を、画像情報の読取動作、コピー動作、ファクシミリ送信動作、ファクシミリ受信動作、プリンタ動作のそれぞれについて説明する。
【００５１】
（読取動作）
読取部３１０のＣＩＳ３１１で読み取られた原稿の画像情報は、まず読取画像補正部３１２によってシェーディング補正等の処理がなされる。処理がなされた画像情報は、読取画像処理部３０７によって画像データとされて、ＲＡＭ３０５に展開され、次に画像符号化部３０９によって例えばＪＰＥＧ形式に圧縮符号化される。符号化されたデータは外部インターフェイス部３３１を通り外部機器３３２に出力される。
【００５２】
（コピー動作）
読取部３１０のＣＩＳ３１１で読み取られた原稿の画像情報は、読取画像補正部３１２によってシェーディング補正等の処理がなされる。処理がなされた画像情報は、読取画像処理部３０７によって画像データとされて、ＲＡＭ３０５に展開される。展開された画像データは、画像符号化部３０９によって例えばＪＰＥＧ形式に圧縮符号化され、いったん蓄積される。蓄積された画像データは、プリント画像処理部３０８に順次送出され、プリント用画像に変換される。プリント用画像はプリント信号出力部３１７を介してプリントヘッド３１６に出力することでプリント用紙にプリントされる。
【００５３】
（ファクシミリ送信動作）
読取部３１０のＣＩＳ３１１で読み取られた原稿の画像情報は、読取画像補正部３１２によってシェーディング補正等の処理がなされる。処理がなされた画像情報は、読取画像処理部３０７によって画像データとされて、ＲＡＭ３０５に展開される。展開された画像データは、画像符号化部３０９によって例えばＭＲ（モデファイド・リード）形式に圧縮符号化され、いったん蓄積される。蓄積された画像データは、通信接続部３２７でファクシミリ通信の手順信号の送受信を行い、その後、画像データの送信を開始する。送信開始後も読み取りを継続して、画像データを蓄積しながら送信を続ける。
【００５４】
（ファクシミリ受信動作）
通信網３２８から着信があると、通信接続部３２７でファクシミリ通信の手順信号の送受信を行い、その後、画像データの受信を開始する。受信した画像データは画像符号化部３０９で復調され、ＲＡＭ３０５に展開される。展開された画像データはプリント画像処理部３０８に順次送出され、プリント用画像に変換される。プリント用画像はプリント信号出力部３１７を介してプリントヘッド３１６に出力することでプリント用紙にプリントされる。
【００５５】
（プリンタ動作）
外部機器３３２から発信され外部インターフェイス部３３１で受けたコマンドおよび受信パラメータは、ＭＰＵ３０６で解釈され、画像符号化部３０９で画像データとしてＲＡＭ３０５に展開される。展開された画像データはプリント画像処理部３０８に順次送出され、プリント用画像に変換される。プリント用画像はプリント信号出力部３１７を介してプリントヘッド３１６に出力することでプリント用紙にプリントされる。
【００５６】
（シート搬送機構、操作パネル部、およびフレームの構成）
図７および図８を用いて、本発明に係るピックアップローラ３および分離ローラ５、操作パネル部８００、ならびにフレーム５０の構成を説明する。
【００５７】
図７に示されるように、フレーム５０は、ピックアップローラ３および分離ローラ５と、操作パネル部８００と、を支持する。
【００５８】
ピックアップローラ３および分離ローラ５は、それぞれ、フレーム５０から伸びる不図示の軸に支持されており、各軸を中心に回転可能となっている。
【００５９】
操作パネル部８００内に配置され、操作パネル部８００の制御を司る副制御基板８０３は、フレーム５０に当接され支持されている。図７中、副制御基板８０３は、ビス８０３ｂによりフレーム５０に固定されているが、圧接、溶着、スナップフィット等の本構成と異なる支持方法を用いても、本発明から逸脱するものではない。副制御基板８０３は、複数の基板釦８０３ａを備えており、基板釦８０３ａの上部に位置する後述の押子部８０２ａが押圧された際に電気信号を主制御基板７２０に送る機能を有する。
【００６０】
ピックアップローラ３および分離ローラ５と副制御基板８０３との間に、文字や記号を表示してユーザーの操作を案内するための表示部８０４が配置されている。表示部８０４は、例えば液晶ディスプレイ等であり、フレキシブルプリント回路基板（以下、ＦＰＣともいう）８０４ａを介して、副制御基板８０３に接続されている。
【００６１】
図８は、図７に示されるピックアップローラ３の軸中心を通るように取った、シート搬送方向に直交する断面図である。フレーム５０、ピックアップローラ３、表示部８０４、および副制御基板８０３が示されている。
【００６２】
図中の搬送エリア１２ａは、フレーム５０によって形成されたＵターンパス１２の一部である。原稿Ｓは、Ｕターンパス１２内を搬送される際、幅方向において搬送エリア１２ａの範囲内を搬送される。破線Ａおよび破線Ｂは、ピックアップローラ３の外郭を水平方向に伸ばしたものであり、Ａ−Ｂ間の距離は、ピックアップローラ３のロール径に相当する。
【００６３】
副制御基板８０３および表示部８０４は、搬送エリア１２ａの上方に配置されている。このとき、副制御基板８０３および表示部８０４は、ピックアップローラ３の軸方向において、ピックアップローラ３とは位置をずらして、オフセット配置されている。また、副制御基板８０３および表示部８０４は、破線Ａと破線Ｂとの間の範囲内に少なくとも一部が重なるように配置されている。
【００６４】
各構成要素の上述のような配置の関係により、本発明のシート搬送装置において、操作パネル部８００が占める空間は、シート搬送の上で必要とされる空間から、水平および垂直の両方向において大きく逸脱することがない。
【００６５】
なお、本実施形態において、搬送系であるピックアップローラ３および分離ローラ５は、読取装置の背面側に偏らせて配置されており、操作系である操作パネル８００は、読取装置の前面側に偏らせて配置されている。操作パネルが手前側にあることで、ユーザーにとって操作は容易となる。
【００６６】
搬送系をシート搬送方向と交差するシート幅方向（原稿シートの幅方向）において偏らせて配置すると、シート搬送の斜行が起きる可能性がある。これを抑制するため、給送時および排出時の姿勢を、Ｕターンパス１２の原稿ストッパ１５および開閉ユニットの排出ガイド１９によって整える。
【００６７】
（操作パネル部の構成）
図９および図１０を用いて、本実施形態の操作パネル部８００の構成を説明する。
【００６８】
図９（ａ）は、本実施形態の操作パネル部８００およびフレーム５０を示す斜視図である。図９（ｂ）は、図９（ａ）に示される操作パネル部８００から表面シート８０１を取り除いた状態を示す斜視図である。カバー８０２は、表面シート８０１と副制御基板８０３との間に位置付けられる押子部８０２ａを有し、且つ、ピックアップローラ３および分離ローラ５の上部を覆うようにフレーム５０に被せられるカバー部材である。
【００６９】
図１０（ａ）は、押子部８０２ａを拡大して示す図であり、図１０（ｂ）は、操作パネル部８００の部分断面図である。図１０において、押子部８０２ａは、カバー８０２の枠状に切り欠かれたエリア内でランナー部８０２ｂにより梁支持されて、カバー８０２本体と繋がっている。また、副制御基板８０３上には、基板シート８０５が設置されている。基板シート８０５は、基板釦８０３ａの上に金属薄板で形成されたいわゆるドームスイッチ８０５ａを備えている。ドームスイッチ８０５ａは、中央部を押圧されることにより基板上の導通を取る。
【００７０】
ユーザー操作時に、ユーザーは表面シート８０１を押圧する。これにより表面シート８０１が変形し、ランナー部８０２ｂの撓みを利用して押子部８０２ａがドームスイッチ８０５ａと当接する。押圧を行うことで、基板釦８０３ａのオンオフの切り替えを行うことができる。
【００７１】
このように、本実施形態では、表面シート８０１、ランナー部８０２ｂ、押子部８０２ａ、およびドームスイッチ８０５ａの押下により、基板釦８０３ａのオンオフを切り替えている。押子部の近傍の構成要素を、弾性のある例えばゴムのような材料で一体成型し、弾性力を用いて基板釦８０３ａのオンオフを切り替える構成とすることもできる。
【００７２】
（ケーブル配線の構成）
図７および図１１を用いて、本実施形態のケーブル配線の構成を説明する。
【００７３】
第１のフレキシブルフラットケーブル（以下、ＦＦＣともいう）３２は、副制御基板８０３と主制御基板７２０とを繋いでいる。第１のＦＦＣ３２は、副制御基板８０３からの操作信号を主制御基板７２０に送ることや、装置全体の信号を主制御基板７２０から副制御基板８０３を介して表示部８０４に送り表示部８０４に情報を表示させることができる。
【００７４】
副制御基板８０３に接続された第１のＦＦＣ３２は、Ｕターンパス１２上を這い、読取装置後方のＵターンパス１２外へと引き出され、主制御基板７２０に接続されている。第１のＦＦＣ３２は、装置後方でケーブルガイド７０４に案内されて、モータＭ、コードホイールフィルムＭ１、エンコーダセンサＭ２、エンコーダＭ３、およびギア列Ｍ４との接触を避けるように引き出される。
【００７５】
第２のＦＦＣ３３は、エンコーダＭ３のセンサ部から引き出され、ケーブルガイド７０４に案内されて、主制御基板７２０に接続されている。第１のＦＦＣ３２および第２のＦＦＣ３３は、ケーブルガイド７０４の内部では、互いに壁を隔てて配置されている。
【００７６】
第３のＦＦＣ７２２は、原稿有無センサ１６と原稿エッジセンサ１７とを接続する。原稿エッジセンサ１７に接続された第４のＦＦＣ７２１は、副制御基板８０３に接続される。原稿有無センサ１６および原稿エッジセンサ１７からの情報は、第４のＦＦＣ７２１、副制御基板８０３、および第１のＦＦＣ３２を経由して、主制御基板７２０へと送られる。
【００７７】
駆動モータＭはその電力を供給する配線ケーブルが主制御基板７２０に接続されている。その際、駆動モータＭおよびその配線ケーブルから、第１のＦＦＣ３２、第３のＦＦＣ７２２、および第４のＦＦＣ７２１を、接触させないように離間した異なる経路を通して配線している。つまり、本実施形態では、操作系を駆動系（特に駆動源であるモータＭおよびその配線）から離して配置する。この理由は次の通りである。
【００７８】
駆動モータＭは、大きな電力を使用しノイズの発生源となりやすい。また、駆動モータＭの配線ケーブルは放射ノイズを発生しやすい。そこで、操作系を駆動系から離して配置することにより、駆動モータＭやその配線ケーブルから発生するノイズが、操作パネル部における操作等に与える影響を軽減することができる。駆動源であるモータＭは装置の後方に配置し、操作パネルは装置の前方に配置している。本構成は、駆動源として安価であるがブラシの摺擦によってスパークノイズが発生しやすい傾向のあるブラシ式ＤＣモータを採用する際に、特に好適である。
【００７９】
（開閉ユニットおよび搬送ユニット）
ここで、原稿台のガラス板２２よりも大きな原稿を読み取る場合について説明する。図１２および図１３は、図５に示されるブック原稿読取部２に原稿Ｂが載置されている状態を示す。本例では、原稿Ｂとして、大判原稿Ｓｂを用いている。
【００８０】
図１２および図１３において斜線で示される原稿読取エリア２００は、図５におけるガラス板２２の上面のエリアに相当し、ＣＩＳ３１１はこの範囲内の原稿を読み取ることができる。読み取り用の原稿は、その２つの辺が、破線で示される突き当て基準線Ｒ１および基準線Ｒ２に合うように、原稿読取エリア２００上にセットされる。このように搬送ユニット１および開閉ユニット４０のヒンジ部側に基準線（位置決め基準）を設けることで、原稿読取エリア２００のサイズよりも大きい大判原稿Ｓｂを読み取る場合であっても、原稿Ｓｂが折れ曲がることがない。このように、フラットベッドスキャナ部で読み取るために原稿台の上に置かれる原稿の位置決め基準は、搬送ユニットの側に設けられている。そしてフラットベッドスキャナ部は、位置決め基準の側からスキャンを開始する。
【００８１】
図１２に示されるように、開閉ユニット４０は、原稿押え部４３を有する。原稿押え部４３は、ベース板４１と、原稿読取白地板４１ａと、を有している。
【００８２】
原稿押え部４３は、フラットベッドスキャン時にブック原稿読取白地板４１ａで原稿Ｂを押さえる機能を有する。原稿押え部４３は、ベース板４１のヒンジ部４２ａおよび４２ｂを介してブック原稿読取部２に取り付けられている。ヒンジ部４２ａおよび４２ｂは、上述のように、軸中心に回動自由である。開閉ユニット４０は、ヒンジ４２ａおよび４２ｂにより開状態となったときに、原稿Ｂのセットを行うことができる。
【００８３】
開閉ユニット４０は、閉状態としたときに係合して前後左右方向（水平方向）の位置決めを行う係合部４０ａおよび４０ｂを有し、ブック原稿読取部２には、それぞれに対応した係合部２ａおよび２ｂが配置されている。本例では、係合部４０ａおよび４０ｂは凹部、係合部２ａおよび２ｂは凸部として図示されているが、凹凸の関係は、この逆であってもよく、または組み合わされていてもよい。また、係合部の位置および数は、本例に限定されない。係合部の位置がヒンジ部側から離れていると、位置決め効果が高い傾向があり、また、装置外観にも好適な配置となる。
【００８４】
また、係合部は、ブック原稿読取部２の原稿読取エリア２００外であって基準線Ｒ１に対して読み取り開始側であると、ＡＤＦスキャンの際の、原稿Ｓの供給時の斜行、排紙時の原稿積載の位置ずれを抑制しやすい。また、この構成の場合、大判原稿Ｓｂのような原稿読取エリア２００から逸脱したサイズの原稿を設置した時に、凸部の係合部と原稿とが重なることは無く、大判原稿Ｓｂを傷つけずに読み取りを行うことができる。
【００８５】
搬送ユニット１のフレーム５０は、原稿読取部２に対してヒンジを介して取り付けられており、原稿読取部２に対してヒンジの軸を中心に回動自由である。フレーム５０を開状態とすると、Ｕターンパスの間口は広がる。例えば、原稿Ｓの搬送中にＵターンパス１２内にジャムが生じたとき、フレーム５０を開放することで、ユーザーが原稿ＳをＵターンパス１２内から除去することを容易にすることができる。
【００８６】
また、このヒンジの軸方向をヒンジ部４２ａおよび４３ｂの軸方向と異なる方向（本例では直交方向）に設置することにより、フレーム５０の開放方向と、開閉ユニット４０の開放方向が異なることとなる。閉状態でＵターンパス１２の上流および下流に位置している開閉ユニット４０を、開状態とすることで簡単に取り除くことができ、Ｕターンパス１２へのユーザーアクセスを容易にすることができる。
【００８７】
以上説明してきた実施形態は、操作パネルは搬送ユニットに一体化され、操作パネルと搬送ローラは、シート搬送方向と交差するシート幅方向において位置をずらして配置されている。そして、操作パネルと搬送ローラとは、搬送ユニットにてシート搬送方向および高さ方向において少なくとも一部が重複するように配置されている。さらに、操作パネルおよび搬送ローラは、それぞれ、搬送ユニットによるシートの搬送エリアの幅の範囲内に、少なくとも一部が位置付けられている。これらの構成により、性能を落とすことなく従来よりも小型化した装置が実現する。
【符号の説明】
【００８８】
１  原稿読取搬送部（搬送ユニット）
２  ブック原稿読取部
３  ピックアップローラ
５  分離ローラ
１２  Ｕターンパス
１６  原稿有無センサ
１７  原稿エッジセンサ
４０  原稿積載圧板部（開閉ユニット）
３２２  操作パネル
７２０  主制御基板
８００  操作パネル部
８０３  副制御基板
【図１】
0006579749.tif 000002
【図２】
0006579749.tif 000003
【図３】
0006579749.tif 000004
【図４】
0006579749.tif 000005
【図５】
0006579749.tif 000006
【図６】
0006579749.tif 000007
【図７】
0006579749.tif 000008
【図８】
0006579749.tif 000009
【図９】
0006579749.tif 000010
【図１０】
0006579749.tif 000011
【図１１】
0006579749.tif 000012
【図１２】
0006579749.tif 000013
【図１３】
0006579749.tif 000014